(57)【要約】【課題】吸収体全体を有効に活用して排泄液の吸収能力を向上させる一方で、着用者が吸収体の湿潤によって不快感を覚えることを抑止することができる吸収性物品を得る。【解決手段】一対の液拡散シート１３，１４を、各液拡散シート１３，１４が相互に離間された状態において、一方の液拡散シート１３が吸収体４の短手方向の一端側に沿って、他方の液拡散シート１４が吸収体４の短手方向の他端側に沿ってそれぞれ配置されたものとすると共に、一対の防漏壁１６，１７を、前記吸収体４の長手方向に沿う方向の長さが該吸収体４の長手方向長さ以上に形成されていると共に、各防漏壁１６，１７は、直近の液拡散シート１３，１４と重複するように前記吸収体４の短手方向の中心の方向に延設されているものとする。【選択図】図１
2015066375.tif 000002
【特許請求の範囲】
【請求項１】
液透過性シートと、該液透過性シートの一面側に配設された液不透過性シートと、これらの液透過性シートと液不透過性シートとの間に配設された一方向に長い吸収体と、前記液透過性シートにおける着用者の肌側の面に、該吸収体の短手方向の両側に沿うように配設された一対の防漏壁と、少なくとも一部が前記吸収体と液不透過性シートとの間に配設された、該吸収体の長手方向に沿う方向に長く延びる一対の液拡散シートとを備えた吸収性物品であって、
前記一対の液拡散シートは、各液拡散シートが相互に離間された状態において、一方の液拡散シートが吸収体の短手方向の一端側に沿って、他方の液拡散シートが吸収体の短手方向の他端側に沿ってそれぞれ配置され、
前記一対の防漏壁は、前記吸収体の長手方向に沿う方向の長さが該吸収体の長手方向長さ以上に形成されていると共に、各防漏壁は、直近の液拡散シートと重複するように前記吸収体の短手方向の中心の方向に延設されている、吸収性物品。
【請求項２】
前記各防漏壁は、直近に位置する前記液拡散シートと前記吸収体とが該吸収体の前記液不透過性シート側において重なる領域と重複するように、前記吸収体の短手方向の中心の方向に延設されている、請求項１に記載の吸収性物品。
【請求項３】
前記一対の液拡散シートは、前記吸収体の長手方向長さと同じ長さに形成されている、請求項１又は請求項２に記載の吸収性物品。
【請求項４】
前記一対の液拡散シートと前記吸収体とがエンボス加工により相互に接合されている、請求項１〜３のいずれか１項に記載の吸収性物品。
【請求項５】
前記一対の液拡散シートは、セルロース繊維を含むスパンレース不織布により形成されている、請求項１〜４のいずれか１項に記載の吸収性物品。
【請求項６】
前記一対の液拡散シートは、前記吸収体と液不透過性シートとの間に位置して、前記吸収体における液不透過性シート側の面を被覆する基部と、該基部に連結された、各液拡散シートに直近の前記吸収体の短手方向の端面を各々被覆する端面被覆部とをそれぞれ備えている、請求項１〜５のいずれか１項に記載の吸収性物品。
【請求項７】
前記一対の液拡散シートは、前記端面被覆部に連結された、前記吸収体における液透過性シート側の面を被覆する液透過性シート側被覆部を備えている請求項６に記載の吸収性物品。
【請求項８】
前記吸収体は、パルプと吸水性ポリマーとを含んでいて、短手方向の両端部側の吸水性ポリマーの含有割合が、短手方向の中心側よりも高い、請求項１〜７のいずれか１項に記載の吸収性物品。
【請求項９】
前記吸収体は、パルプと吸水性ポリマーとを含んでいて、液不透過性シート側の吸水性ポリマーの含有割合が液透過性シート側よりも高い、請求項１〜８のいずれか１項に記載の吸収性物品。
【請求項１０】
前記吸収性物品は、着用者の腹側の胴回りを覆う腹側胴回り部と、背側の胴回りを覆う背側胴回り部と、これら腹側胴回り部と背側胴回り部との間に設けられた股部とを有する被覆部を備えた使い捨ておむつであって、前記吸収体は、該被覆部における着用者の肌側に配設されていて、腹側胴回り部から股部を通って背側胴回り部の方向に長く形成されている、請求項１〜９のいずれか１項に記載の吸収性物品。
【請求項１１】
前記被覆部は、前記腹側胴回り部又は背側胴回り部のうちのいずれか一方側に設けられた、前記吸収体の短手方向の外側に向けて延出させたファスニングテープと、他方側に設けられた、該ファスニングテープが着脱自在に止着されるターゲットテープとを有していて、前記ターゲットテープは、該ターゲットテープが設けられた腹側胴回り部側又は背側胴回り部側に位置する前記一対の拡散シートの長手方向の一端部と重なる位置に配設されている、請求項１０に記載の吸収性物品。
【発明の詳細な説明】
【技術分野】
【０００１】
本発明は、紙おむつや生理用ナプキン、失禁パッド等の吸収性物品に関するものであり、さらに詳しくは、排泄液の吸収性に優れ且つ着用感に優れた吸収性物品に関するものである。
【背景技術】
【０００２】
例えば尿などの排泄液を吸収する使い捨ての紙おむつとしては、着用者の肌側に位置する液透過性シート（いわゆるトップシート）と、衣服側に位置する液不透過性シート（いわゆるバックシート）と、これらの液透過性シートと液不透過性シートとの間に設けられた吸収体とを備えているのが一般的である。
このような紙おむつは、実際に着用したとき、紙おむつの中の吸収体は、着用者の体に沿って略Ｕ形に湾曲し、腹側から股部、背側に及んでいるのが通常である。
【０００３】
このとき、排泄液を主に受ける部分である股部は最も低い位置にある一方で、腹側及び背側は股部よりも高い位置にある。そのため、なんら対策を施さない場合、排泄液が紙おむつに排出されると、該排泄液は股部分にその大部分が吸収・保持される一方で、排泄液が腹側や背側に拡散することはほとんどない。
したがって、吸収体のうち、実際に活用されるのは股部のみであり、他の腹側や背側については有用に活用されず、排泄液に対して所望の吸収・保持量が得られていないのが実情である。
【０００４】
一方で、例えば特許文献１に記載されているように、吸収体の液透過性シート側で吸収しきれなかった排泄液を、該吸収体の液不透過性シート側に配設した液拡散シートで吸収すると共に、該液拡散シートが吸収した排泄液を吸収体の液不透過性シート側に拡散させて、液不透過性シート側から吸収体に吸収・保持させるものが知られている。この特許文献１に記載の技術は、使用されにくい吸収体の液不透過性シート側を利用することで、吸収体の排泄液の吸収領域を増加させ、排泄液の吸収速度及び保持量を高めている。
【０００５】
しかしながら、前記特許文献１に記載のものは、排泄液の吸収速度及び保持量を高めることはできるものの、逆に、従来あまり活用されていなかった吸収体の範囲、即ち、特に吸収体の長手方向の端部部分である吸収体の腹側や背側の吸収体については、排泄液によって湿潤することになるため着用者の肌が湿ってしまい、その湿りによって不快感を覚える可能性がある。
即ち、おむつの着用時において、吸収体の腹側や背側は、股間部に比べて着用者の肌に近く、液透性シートを介して着用者の肌に沿った状態となる。また、通常はおむつの腹側や背側はファスニングテープがターゲットテープに止着され、ある程度着用者の胴回りに圧着される、吸収体は液透過性シートを介してではあるが、着用者の肌に押し付けられて状態となる。
そうすると、吸収体の腹側や背側において保持している排泄液等の水分が着用者の肌に接触しやすくなるため、着用者が湿りによる不快感を覚えやすく、さらには肌かぶれの原因ともなりやすい。
【先行技術文献】
【特許文献】
【０００６】
【特許文献１】特開２００８−２８４１６７号公報
【発明の概要】
【発明が解決しようとする課題】
【０００７】
本発明の技術的課題は、吸収体全体を有効に活用して排泄液の吸収能力を向上させる一方で、着用者が吸収体の湿潤によって不快感を覚えることを抑止することができる吸収性物品を提供することにある。
【課題を解決するための手段】
【０００８】
上記課題を解決するため、本発明の吸収性物品は、液透過性シートと、該液透過性シートの一面側に配設された液不透過性シートと、これらの液透過性シートと液不透過性シートとの間に配設された一方向に長い吸収体と、前記液透過性シートにおける着用者の肌側の面に、該吸収体の短手方向の両側に沿うように配設された一対の防漏壁と、少なくとも一部が前記吸収体と液不透過性シートとの間に配設された、該吸収体の長手方向に沿う方向に長く延びる一対の液拡散シートとを備えた吸収性物品であって、前記一対の液拡散シートは、各液拡散シートが相互に離間された状態において、一方の液拡散シートが吸収体の短手方向の一端側に沿って、他方の液拡散シートが吸収体の短手方向の他端側に沿ってそれぞれ配置され、前記一対の防漏壁は、前記吸収体の長手方向に沿う方向の長さが該吸収体の長手方向長さ以上に形成されていると共に、各防漏壁は、直近の液拡散シートと重複するように前記吸収体の短手方向の中心の方向に延設されているものである。
【０００９】
本発明においては、前記各防漏壁は、直近に位置する前記液拡散シートと前記吸収体とが該吸収体の前記液不透過性シート側において重なる領域と重複するように、前記吸収体の短手方向の中心の方向に延設されていることが好ましい。
【００１０】
また、本発明においては、前記一対の液拡散シートは、前記吸収体の長手方向長さと同じ長さに形成されているものとすることができる。
【００１１】
さらに、本発明においては、前記一対の液拡散シートと前記吸収体とがエンボス加工により相互に接合されているものとすることができる。
また、本発明においては、前記一対の液拡散シートは、セルロース繊維を含むスパンレース不織布により形成されているものとすることができる。
【００１２】
また、本発明においては、前記一対の液拡散シートは、前記吸収体と液不透過性シートとの間に位置して、前記吸収体における液不透過性シート側の面を被覆する基部と、該基部に連結された、各液拡散シートに直近の前記吸収体の短手方向の端面を各々被覆する端面被覆部とをそれぞれ備えているものとすることができる。
この場合においては、前記一対の液拡散シートは、前記端面被覆部に連結された、前記吸収体における液透過性シート側の面を被覆する液透過性シート側被覆部を備えているものとすることができる。
【００１３】
本発明においては、前記吸収体は、パルプと吸水性ポリマーとを含んでいて、短手方向の両端部側の吸水性ポリマーの含有割合が、短手方向の中心側よりも高いものとすることができる。
また、本発明においては、前記吸収体は、パルプと吸水性ポリマーとを含んでいて、液不透過性シート側の吸水性ポリマーの含有割合が液透過性シート側よりも高いものとすることができる。
【００１４】
さらに、本発明においては、前記吸収性物品は、着用者の腹側の胴回りを覆う腹側胴回り部と、背側の胴回りを覆う背側胴回り部と、これら腹側胴回り部と背側胴回り部との間に設けられた股部とを有する被覆部を備えた使い捨ておむつであって、前記吸収体は、該被覆部における着用者の肌側に配設されていて、腹側胴回り部から股部を通って背側胴回り部の方向に長く形成されているものとすることができる。
この場合において、前記被覆部は、前記腹側胴回り部又は背側胴回り部のうちのいずれか一方側に設けられた、前記吸収体の短手方向の外側に向けて延出させたファスニングテープと、他方側に設けられた、該ファスニングテープが着脱自在に止着されるターゲットテープとを有していて、前記ターゲットテープは、該ターゲットテープが設けられた腹側胴回り部側又は背側胴回り部側に位置する前記一対の液拡散シートの長手方向の一端部と重なる位置に配設されているものとすることが好ましい。
【発明の効果】
【００１５】
本発明によれば、前記一対の液拡散シートを、各液拡散シートが相互に離間された状態において、一方の液拡散シートが吸収体の短手方向の両端側にそれぞれ配置しているため、吸収体の四隅やその近傍に排泄液を拡散させることができる。これにより、吸収体の腹側や背側については、中央部分よりも短手方向の両端側の方が早く排泄液を拡散させることができるため、吸収体の吸収力に余裕がある状態においては、湿った吸収体が着用者の肌に沿う範囲をできるだけ抑えることができる。
その上、一対の防漏壁を、前記吸収体の長手方向に沿う方向の長さが該吸収体の長手方向長さ以上に形成され、各防漏壁は、直近の液拡散シートと重複するように前記吸収体の短手方向の中心の方向に延設されている。そのため、液拡散シートにより排泄液が拡散しやすい吸収体の四隅やその近傍については、防漏壁を着用者の肌に当接させることができ、吸収体と着用者の肌との間に液透過性シートのみが存在する場合に比べて、吸収体の湿潤に起因する着用者の肌の湿りを可及的に抑えることが可能となる。これにより、着用者が湿りによる不快感を覚えにくく、また肌かぶれを抑止することが可能となる。
【図面の簡単な説明】
【００１６】
【図１】図１は本発明に係る吸収性物品の一実施の形態を模式的に示す一部破断平面図である。
【図２】図２は本発明に係る吸収性物品の一実施の形態を模式的に示す一部破断斜視図である。ただし、被覆部側からみた状態を示す。
【図３】図３は図１のＡ−Ａ’線における要部拡大端面図である。
【図４】図４は液拡散シートの構成が異なる実施の形態を模式的に示す要部拡大断面図である。
【図５】図５は液拡散シートの構成がさらに異なる実施の形態を模式的に示す要部拡大断面図である。
【図６】図６は防漏壁における吸収体の短手方向への延出長さと液拡散シートの端部の位置関係を示す要部拡大断面図である。ただし、（ａ）は、第１及び第２の防漏壁の自由端側が直近の液拡散シートの短手方向の第２端よりも吸収体の短手方向の中心の方向にそれぞれ延出した態様を示し、（ｂ）は、第１及び第２の防漏壁の自由端側が、いずれも直近の液拡散シートの短手方向の第２端よりも吸収体の短手方向の中心の方向に延出していない態様を示している。
【発明を実施するための形態】
【００１７】
図１〜図３は、本発明の吸収性物品の一実施の形態を示すもので、この実施の形態においては、吸収性物品として使い捨てのおむつの場合について説明する。
即ち、この実施の形態のおむつ１は、着用者の肌を腹側の胴回りから、股、背側の胴回りにかけて覆う被覆部２と、該被覆部２における着用者側の部分に取付けられた、着用者の尿等の排泄液を吸収、保持する吸収体４を有する吸収構造体３とを備えている。
【００１８】
前記被覆部２は、全体として通気性を有する不織布等の素材により形成された、おむつ１の外装を形成するもので、腹側の胴回りを覆う腹側胴回り部５と、背側（臀側）の胴回りを覆う背側胴回り部６と、これら腹側胴回り部５と腹側胴回り部６との間に設けられた股部７とを有していて、腹側胴回り部５から背側胴回り部６の方向に長く形成されたものとなっている。
前記腹側胴回り部５及び背側胴回り部６は、着用者の腹側及び背側の胴回りをそれぞれ覆って、これらの腹側胴回り部５及び背側胴回り部６を相互に連結することにより、おむつ１を着用者に装着させることが可能となっている。さらに、前記股部７は、前記腹側胴回り部５及び背側胴回り部７よりも短手方向長さが小さく形成されていて、着用者の股回りにフィットするようになっている。
【００１９】
そして、前記吸収構造体は３、着用者の肌側に位置する液透過性シート１１と、該液透過性シート１１の一面側、即ちその液透過性シート１１における着用者の肌側とは反対側の面側に配設された液不透過性シート１２と、これらの液透過性シート１１と液不透過性シート１２との間に配設された、一方向に長い前記吸収体４とを備えている。そして、この吸収構造体３は、液不透過性シート１２と前記被覆部２の着用者の肌側の面とが、相互に密着した状態において、ホットメルト型接着材等による接着等の各種接合手段によって接合されていて、これにより被覆部２に取付けられた状態となっている。
【００２０】
さらに、この吸収構造体は３、前記吸収体４と液不透過性シート１２との間に、該吸収体４の長手方向に長く延びる一対の液拡散シート１３，１４が配設されていて、吸収体４とこれらの液拡散シート１３，１４とは、相互に密着した状態において、液透過性を有する被覆シート１５によって共に被覆されている。
また、前記液透過性シート１１における着用者の肌側の面には、前記吸収体４の短手方向の両側に沿って延びる一対の防漏壁１６，１７が設けられていて、これらの一対の防漏壁１６，１７が、着用時において着用者の肌にフィットして、該おむつ１の股部分から尿や軟便等の排泄液が漏れるのを防止できるようになっている。
【００２１】
前記吸収体４は、吸収性材料であるパルプと高吸収性材料である吸水性ポリマーとを含有するもので、前記被覆部２における腹側胴回り部５から股部７を通って背側胴回り部６の方向に向けて、該被覆部２の着用者の肌側の面に沿うように長く延び、且つ一定の厚さを有した帯状に形成されている。したがって、この吸収体４は、着用者の腹側から股、背側にかけて覆うように配置された態様となっている。
なお、この実施の形態においては、前記吸収体４の長手方向長さは、前記被覆部２の長手方向長さよりも小さく形成されている。
【００２２】
本発明において、前記パルプとしては、例えば、針葉樹又は広葉樹を原料として得られる木材パルプ（例えば、砕木パルプ、リファイナーグランドパルプ、サーモメカニカルパルプ、ケミサーモメカニカルパルプ等の機械パルプ；クラフトパルプ、サルファイドパルプ、アルカリパルプ等の化学パルプ；半化学パルプ等）；木材パルプに化学処理を施して得られるマーセル化パルプ又は架橋パルプ；バガス、ケナフ、竹、麻、綿（例えばコットンリンター）等の非木材パルプ等が挙げられるが、コストが低く、成形しやすいこと点から、粉砕パルプが好ましい。
【００２３】
前記吸水性ポリマーとしては、例えば、デンプン系、セルロース系、合成ポリマー系の高吸水性材料が挙げられる。デンプン系又はセルロース系の高吸水性材料としては、例えば、デンプン−アクリル酸（塩）グラフト共重合体、デンプン−アクリロニトリル共重合体のケン化物、ナトリウムカルボキシメチルセルロースの架橋物等が挙げられる。合成ポリマー系の高吸水性材料としては、例えば、ポリアクリル酸塩系、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系等の高吸水性樹脂（Superabsorbent Polymer：ＳＡＰ）等が挙げられるが、これらのうちポリアクリル酸塩系（特に、ポリアクリル酸ナトリウム系）の高吸水性樹脂が好ましい。高吸水性材料の形状としては、例えば、粒子状、繊維状、鱗片状等が挙げられ、粒子状である場合、粒径は、好ましくは５０〜１０００μｍであり、さらに好ましくは１００〜６００μｍである。
【００２４】
なお、前記被覆シート１５としては、液体透過性及び吸収体保持性を有する限り特に限定されないが、低コスト性及び吸収体保持性の点から、粉砕パルプを主材料とし湿式法で成形されるティッシュが好ましい。
【００２５】
また、前記液透過性シート１１は、着用者の肌に接して該着用者の尿を素早く吸収し、前記吸収体４に移行させるもので、ホットメルト型接着剤による接着等の任意の接合手段により、前記吸収体４と、前記被覆シート１５を介して相互に接合されている。
この液透過性シート１１は、不織布、織布、液透過孔が形成された合成樹脂フィルム、網目を有するネット状シート等により形成されていて、前記吸収体４の長手方向に沿う方向に長く延びた態様となっている。
なお、本発明において、この液透過性シートに用いられる不織布としては、例えば天然繊維（例えば羊毛、コットン等）、再生繊維（例えばレーヨン、アセテート等）、合成樹脂繊維（例えばポリエチレン、ポリプロピレン、ポリブチレン、エチレン−酢酸ビニル共重合体、エチレン−アクリル酸エチル共重合体、エチレン−アクリル酸共重合体、アイオノマー樹脂等のポリオレフィン；ポリエチレンテレフタラート、ポリブチレンテレフタラート、ポリブチレンテレフタラート、ポリ乳酸等のポリエステル；ナイロン等のポリアミド）等が挙げられる。
不織布には、芯鞘型繊維、サイド・バイ・サイド型繊維、島・海型繊維等の複合繊維；中空タイプの繊維、扁平、Ｙ型、Ｃ型等の異型繊維、潜在捲縮又は顕在捲縮の立体捲縮繊維；水流、熱、エンボス加工等の物理的負荷により分割する分割繊維等が混合されていてもよい。
【００２６】
一方、前記液不透過性シート１２は、排出された排泄液の透過を防止して外部に漏れ出るのを防止するものであり、ホットメルト型接着剤による接着等の任意の接合手段により、前記吸収体４と前記被覆シート１５を介して相互に接合されている。なお、吸収体４と反対側の面については、前述のように、前記被覆部２と接合されている。
この液不透過性シート１２は、全体として前記吸収体４よりも大きく形成されていて、該液不透過性シート１２における該吸収体４の長手方向及び短手方向に沿う長さは、この吸収体４の長手方向長さ及び短手方向長さよりも長くなっている。
なお、この液不透過性シート１２としては、例えば、防水処理を施した不織布、合成樹脂（例えばポリエチレン、ポリプロピレン、ポリエチレンテレフタレート等）フィルム、耐水性の高いメルトブローン不織布を強度の強いスパンボンド不織布で挟んだＳＭＳ不織布等を用いることができる。
【００２７】
そして、前記一対の液拡散シート１３，１４は、いずれも、前記吸収体４の長手方向に沿う方向に長く延びた平面視略矩形状のもので、この実施の形態においては、図１及び図２に示すように、各液拡散シート１３，１４は、長手方向長さが吸収体４の長手方向長さと同じ長さに形成されている。
これらの一対の液拡散シート１３，１４は、吸収体側の面がホットメルト型接着剤による接着等の任意の接合手段により、吸収体４に密着した状態で該吸収体４と相互に接合されていて、前述のように、被覆シート１５により吸収体４と共に被覆されている。なお、これらの液拡散シート１３，１４と被覆シート１５とは、ホットメルト型接着剤による接着等の任意の接合手段により相互に接着されている。
【００２８】
また、前記一対の液拡散シート１３，１４は、相互に離間された状態で、一方の液拡散シート１３が吸収体４の短手方向の一端側に沿って、他方の液拡散シート１４が吸収体４の短手方向の他端側に沿ってそれぞれ配置されている。
即ち、前記一対の液拡散シート１３，１４のうち、第１の液拡散シート１３が前記吸収体４の短手方向の一端側に沿って、第２の液拡散シート１４が吸収体４の他端側に沿ってそれぞれ配設されている。
【００２９】
より具体的に、この実施の形態においては、前記第１の液拡散シート１３は、該第１の液拡散シート１３の短手方向の両端部（つまり長手の端部）のうち、直近の吸収体４の短手方向の端部（即ち、図１及び図３中における吸収体の短手方向左側の端部。以下、（吸収体の）短手方向の第１端部という。）４ａ側に位置する端部（即ち、図１及び図３中における第１の液拡散シートの短手方向左側の端部。以下、（第１の液拡散シートの）短手方向の第１端部という。）１３ａは、該吸収体４の短手方向の第１端部４ａの位置と一致した状態で配設されている。
一方、前記第２の液拡散シート１４は、該第２の液拡散シート１４の短手方向の両端部のうち、直近の吸収体４の短手方向の端部（即ち、図１及び図３中における吸収体の短手方向右側の端部。以下、（吸収体の）短手方向の第２端部という。）４ｂ側に位置する端部（即ち、図１及び図３中における第２の液拡散シートの短手方向右側の端部。以下、（第２の液拡散シートの）短手方向の第１端部という。）１４ａは、該吸収体４の短手方向の第２端部４ｂの位置と一致した状態で配設されている。
したがって、前記吸収体４の液不透過性シート１２側における短手方向の両側部分は、該前記一対の液拡散シート１３，１４それぞれが重なった領域となり、その重なった領域については、吸収体４の液不透過性シート側の表面がこれらの一対の液拡散シート１３，１４によってそれぞれ被覆された状態となっている。
【００３０】
また、前記一対の液拡散シート１３，１４は、いずれも、前記吸収体４の短手方向の長さが、吸収体４の短手方向の長さの半分の長さ未満に形成されていて、相互に離間された状態に配設されている。なお、この実施の形態においては、第１及び第２の液拡散シート１３，１４の短手方向の長さは相互に同じ長さとなっている。
したがって、前記第１の液拡散シート１３における短手方向の第１端１３ａとは反対側の端部（以下、（第１の液拡散シートの）短手方向の第２端部という。）１３ｂと、前記第２の液拡散シート１４における短手方向の第１端１４ａとは反対側の端部（以下、（第２の液拡散シートの）短手方向の第２端部という。）１４ｂとの間、即ち、吸収体４の液不透過性シート１２側における短手方向の中心部分には、吸収体の長手方向に延びる、一定幅の液拡散シートの存在しない空間が形成された状態となっている。
【００３１】
前記一対の液拡散シート１３，１４を相互に離間された状態に配設したのは、着用者から排泄液が排出された場合に、吸収体４の腹側や背側については、吸収体４の短手方向の中心部分よりも短手方向の両端側の方に早く排泄液を拡散させるためである。
即ち、前記一対の液拡散シートが存在しない領域である、吸収体の腹側や背側における短手方向の中心部分については排泄液が拡散されにくいため、この吸収体の腹側及び背側における短手方向の中心部分は、吸収体全体としての吸収、保持能力が限界に近づくまでは、比較的ドライで清潔な環境が維持されやすい。したがって、吸収体の腹側及び背側における短手方向の中央部分からは着用者の肌に排泄液に伴う湿りが接触することが可及的に抑えられ、不快感を抑止することができる。
また、吸収体の腹側及び背側における短手方向の中央部分には、排泄液が吸収、保持されるのが他の部分よりも遅いため、この部分についてはリウェット（液戻り）がほとんどないというメリットがある。
【００３２】
さらに、前記一対の液拡散シート１３，１４を相互に離間された状態に配設した別の理由としては、着用者の体型や動きに応じて吸収構造体３全体が変形した場合であっても、該吸収構造体４が着用者の体になじみ易くするためである。
液拡散シートは液透過性シートや液不透過性シートに比べて硬めであるため、従来のように、液拡散シートを吸収体の液不透過性シート側の全面に配設した場合には、着用者の体型や動きに応じて吸収構造体全体が変形する際に、吸収構造体が着用者の体になじみにくい。そのため、着用時に違和感が発生するだけでなく、おむつと着用者との間に隙間が生じて液漏れが生じる可能性がある。
しかしながら、本発明のように、一対の液拡散シートを相互に離間させて配置したことにより、吸収構造体に、液拡散シートの硬さに影響されない領域ができるため、着用者の体型や動きに応じて吸収構造体全体が変形した場合でも、従来に比べて吸収構造体は着用者の体になじみやすく、これにより、違和感が少なく、また液漏れの発生も抑えられる。
【００３３】
前記一対の液拡散シート１３，１４の間の空間については、対象となる着用者の股間幅や吸収体４の大きさ（特に短手方向長さ）等に応じて設定されるが、少なくとも、吸収体４の短手方向長さの１０〜３０％程度の幅（短手方向の大きさ）の空間が形成されることが好ましく、１５〜２５％程度の幅の空間が形成されるようにすることがさらに好ましい。
したがって、この実施の形態の一対の液拡散シート１３，１４の配置の場合、各液拡散シート１３，１４のそれぞれの短手方向の長さについては、吸収体４の短手方向の長さの３５〜４５％程度の長さであることが好ましい。さらに好ましくは３７．５〜４２．５％とすることである。
例えば、吸収体の短手方向の長さが１２０ｍｍであるとき、各液拡散シートの短手方向の長さを５０ｍｍ程度とし、これらの液拡散シートの間の長さを２０ｍｍ程度とすることができる。
【００３４】
ここで、本発明における前記一対の液拡散シートとしては、セルロース繊維を主原料とし、その他叩解パルプを含む不織布が用いられ、特に湿式スパンレース不織布が好適である。
なお、この場合、前記叩解パルプはフィブリル化されていることが好ましい。なお、本発明において「フィブリル化」とは、繊維の本体部分の表面から、サブミクロンサイズの繊維径を有するマイクロファイバー部分が部分的に剥離しかつ繊維の本体部分の表面から延びていることを意味する。
【００３５】
本発明において、前記液拡散シートに含まれるセルロース繊維としては、特に制限されないが、例えば、天然セルロース、再生セルロース、半合成セルロース等が挙げられる。
前記天然セルロースとしては、パルプ、例えば、針葉樹又は広葉樹を原料として得られる木材パルプ（例えば、砕木パルプ、リファイナーグランドパルプ、サーモメカニカルパルプ、ケミサーモメカニカルパルプ等の機械パルプ；クラフトパルプ、サルファイドパルプ、アルカリパルプ等の化学パルプ；半化学パルプ等）；木材パルプに化学処理を施して得られるマーセル化パルプ又は架橋パルプ；バガス、ケナフ、竹、麻、綿（例えばコットンリンター）等の非木材パルプ等が挙げられる。
上記再生セルロースとしては、レーヨン、例えば、ビスコースから得られるビスコースレーヨン，ポリノジック及びモダール、セルロースの銅アンモニア塩溶液から得られる銅アンモニアレーヨン（「キュプラ」とも称される）；有機化合物及び水の混合溶液である有機溶剤を用いた有機溶剤紡糸法によって得られ、セルロース誘導体を経ないリヨセル及びテンセル等が挙げられる。
半合成セルロースとしては、例えば、アセテート繊維、例えば、トリアセテート及びジアセテートが挙げられる。
【００３６】
なお、これらの天然セルロースとしてパルプを、再生セルロースとしてレーヨンを使用した場合において、これらのパルプとレーヨンの混合割合は、レーヨンを１０〜７０質量部とすることが好ましく、さらに１５〜６５質量部とすることが好ましい。また、前記セルロース繊維と叩解パルプとは、６０〜９０質量部と１０〜４０質量部との比率において含むことが好ましく、さらに好ましくは６５〜７５質量部と２５〜３５質量部との比率（ただし、セルロース繊維と叩解パルプの合計が１００質量部を越えない。）において含むことである。
【００３７】
また、前記一対の液拡散シート１３，１４は、いずれも、坪量が２０〜７０ｇ／ｍ2ｇ／ｍ2に設定されていることが好ましい。これらの一対の液拡散シート１３，１４の坪量をこの範囲とすることにより、吸収体と液拡散シートとの間で密度の差が生じ、吸収体から液拡散シートへの排泄液の移行がよりスムーズになる。しかも、後述するように、密度との関係で毛管をより多く形成することができるため、液の拡散を効率的に行うことが可能となる。
前記液拡散シートの坪量が２０ｇ／ｍ2未満となると繊維量が減る事で毛細管形成量が不十分で液輸送量・距離共に短くなり、７０ｇ／ｍ2を越えると繊維量が多くなりすぎ、資材硬さが目立ってしまうことで装着性に不具合が生じる。
なお、前記液拡散シート１３の坪量については、さらに好ましくは３０〜６０ｇ／ｍ2とすることであり、より好ましくは、３５〜５５ｇ／ｍ2とすることである。
【００３８】
さらに、前記一対の液拡散シート１３，１４は、いずれも、約５０〜２８０ｍｇ／ｃｍ3の密度を有し、好ましくは６０〜２００ｍｇ／ｃｍ3の密度を有している。
前記一対の液拡散シートの密度をこの範囲とすることにより、それぞれの液拡散シート１３，１４内の繊維間に吸収した排泄液を拡散させるために好適な毛管を多く形成することができる。これにより、各液拡散シートは、排泄液の毛管移動を一層効果的に行わせて、液拡散性がより高まると考えられる。
一方で、密度が２８０ｍｇ／ｃｍ3を超えると、各液拡散シート内の空隙が少なくなりすぎて毛管が形成されにくくなるため、液拡散性が低下する。逆に、密度が５０ｍｇ／ｃｍ3未満となると、液拡散シート内の空隙は多くなるものの、毛管現象が生じにくくなるため、排泄液の移動が鈍くなり、やはり液拡散性が低下する。
【００３９】
また、前記一対の液拡散シート１３，１４は、いずれも、クレム法による吸水度試験において、人工尿の５分後の吸液高さが、１２０ｍｍ以上とすることが好ましく、より好ましくは１３５ｍｍ以上、さらに好ましくは１４０ｍｍ以上である。さらに、吸水倍率は、２．０倍以上であることが好ましく、より好ましくは２．６倍以上であり、さらに好ましくは３．０倍以上である。
前記吸液高さが小さすぎると、吸収体を効率よく濡らすことができない。また、吸水倍率が小さすぎると、吸収コアを形成するパルプ／高吸水性ポリマーに効率よく液を移行させることができない。
なお、クレム法による吸水度試験は、ＪＩＳ  Ｐ  ８１４１：２００４に従って行う。
【００４０】
通常、紙は、抄紙（熱融着性繊維、バインダー含む）、乾燥、所望により熱圧着等の工程を経て製造されるので、均一断面構造となり、一般的に、密度が小さくなると、繊維間空隙が大きくなり、毛管径が大きくなると考えられる。また、吸上げ高さは小さくなり、吸上げ量は増加すると考えられる。
しかしながら、前記一対の液拡散シートを、前述のように湿式スパンレース不織布した場合、この湿式スパンレース不織布は、抄紙、ウォータージェット、乾燥工程を経ることによって、すでに疎密構造をとっている（水流絡合による交絡部が密の状態となる）。その後の乾燥工程によって、水流絡合部以外での嵩の状態により、不織布全体の嵩が出て疎の部分を形成する。
したがって、湿式スパンレース不織布を用いた液拡散シートにおいては、すでに疎密構造ができているため、疎である交絡部の間が低密度化されると、吸上げ量が大きくなると同時に、密である交絡部は、交絡部間から液の供給が行われて、より吸上げ高さが大きくなると考えられる。
【００４１】
また、前記一対の防漏壁１６，１７は、液不透過性の素材、例えば防水処理を施した不織布により形成された、吸収体４の長手方向に沿う方向に長い帯状のもので、短手方向の一端側が、吸収体４の短手方向の両端部に沿うように前記液透過性シート１１の着用者の肌側に固定された固定端１６ａ，１７ａとなっている。一方で、他端側は、長手方向に伸縮自在に形成されて着用者の肌に弾力的に当接する自由端１６ｂ，１７ｂとなっている。
なお、これらの一対の防漏壁１６，１７は、前記液透過性シート１１の短手方向の両端側の一部を覆うように前記被覆部２における着用者の肌側の面に固定された一対のサイドシート１８，１９の、吸収体４側に一体に設けられていて、前記固定端１６ａ，１７ａ側がこのサイドシート１８，１９の吸収体側の端部に連結された状態となっている。
また、前記一対の防漏壁１６，１７の自由端１６ｂ，１７ｂ側には、軸線方向に弾性的に伸縮自在である、糸状の弾性部材２０がそれぞれ配設されていて、これらの弾性部材２０の弾性により各防漏壁１６，１７が着用者の肌にフィットすることが可能となっている。
【００４２】
前記一対の防漏壁１６，１７は、前記吸収体４の長手方向に沿う方向の長さが前記吸収体４の長手方向長さ以上に形成されていて、いわゆる内倒れした構成となっている。即ち、各防漏壁１６，１７は、それぞれの自由端１６ｂ，１７ｂ側が吸収体４の短手方向の中心の方向をそれぞれ向いた状態で、各防漏壁１６，１７の長手方向の両端側の部分が前記液透過性シート１１における肌側の面に接合されている。
したがって、これらの一対の防漏壁１６，１７は、おむつ１全体を長手方向に真っ直ぐに伸ばした状態においては、自由端１６ｂ，１７ｂ側が吸収体４の短手方向の中心の方向に向いて倒れた状態となっている。一方で、着用時、即ちおむつ１全体を長手方向に湾曲させた状態においては、自由端１６ｂ，１７ｂ側が吸収体４の短手方向の中心の方向に傾いた状態で着用者の肌の方向に立ち上がり、その自由端１６ｂ，１７ｂが着用者の肌に接するようになっている。
【００４３】
ここで、前記一対の防漏壁１６，１７は、液透性シート側の直近の液拡散シート１３，１４と重複するように前記吸収体４の短手方向の中心の方向に延設されている。
この点について詳細に説明すると、図１及び図３示すように、これらの一対の防漏壁１６，１７のうち、前記吸収体４の短手方向の第１端４ａ側に位置する第１の防漏壁（図１及び図３中における左側の防漏壁）１６は、おむつ１を平面視した場合（即ち、おむつ１を着用者の肌側の方向から見た場合）に、直近に位置する液拡散シートである第１の液拡散シート１３と重複するように、さらに具体的には、該第１の液拡散シート１３と吸収体４とが該吸収体４の液不透過性シート１２側において重なる領域と重複するように、即ち自由端１６ｂ側が前記吸収体４の短手方向の中心の方向に延びている。
一方、前記吸収体４の短手方向の第２端４ｂ側に位置する第２の防漏壁（図１及び図３中における右側の防漏壁）１７は、おむつ１を平面視した場合（即ち、おむつ１を着用者の肌側の方向から見た場合）に、直近に位置する液拡散シートである第２の液拡散シート１４と重なるように、さらに具体的には、該第２の液拡散シート１４と吸収体４とが該吸収体４の液不透過性シート１２側において重なる領域と重複するように、自由端１７ｂ側が前記吸収体４の短手方向の中心の方向に延びている。
したがって、前記第１及び第２の防漏壁１６，１７は、いずれも、少なくとも吸収体４の直近の短手方向の両端部と必ず重複するように、前記吸収体４の短手方向の中心の方向に延びていることになる。
【００４４】
このように、前記一対の防漏壁１６，１７を、直近の液拡散シート１３，１４と重複するように前記吸収体４の短手方向の中心の方向に延設したのは、液拡散シートが拡散させた排泄液を吸収した吸収体の腹側や背側が着用者の肌に沿うことによって、該吸収体からの湿気が直接的に肌に接触することを抑止するためである。
【００４５】
具体的に説明すると、通常、前記おむつを着用者が着用した場合、被覆部の腹側胴周り部と背側胴周り部とが、後述するファスニングテープがターゲットテープに止着されることにより相互に連結されるが、このとき、腹側胴周り部と背側胴周り部とはある程度着用者の胴周りを締め付けるように連結される。
そうすると、吸収体の腹側や背側も、腹側胴周り部と背側胴周り部との連結に伴う締め付けにより、着用者の肌側に圧接されることになるため、吸収体の腹側や背側に排泄液が吸収、保持されている場合には、吸収体の湿潤に伴う湿気が、液透過性シートを介して着用者の肌に接する機会が多くなる。この場合には、着用者の肌が湿ることが多くなるため、着用者が湿りによる不快感を覚え易く、また肌かぶれが発生し易い状態となる。
【００４６】
特に、本発明の場合は、一対の液拡散シートを備えていて、各液拡散シートが相互に離間された状態において、一方の液拡散シートが吸収体の短手方向の一端側に沿って、他方の液拡散シートが吸収体の短手方向の他端側に沿ってそれぞれ配置されている。そのため、吸収体の腹側及び背側においては、前記腹側胴周り部と背側胴周り部とによる胴回りの締め付けの影響を受け易い部分である、短手方向の両端部、特に吸収体の四隅及びその近傍の部分が湿潤し易いことから、着用者の肌が湿り易くなる可能性がある。
そのため、本発明においては、各防漏壁を、直近の液拡散シートと重複するように前記吸収体の短手方向の中心の方向に延設して、被覆部によって着用者の肌に圧接され易い、吸収体の腹側及び背側における短手方向の両端部、特に吸収体の四隅及びその近傍の部分から発せられる湿気が、直接的に肌に接触することが抑止している。
【００４７】
この実施の形態においては、図３に示すように、前記一対の防漏壁１６，１７は、各自由端１６ｂ，１７ｂ側が吸収体４の短手方向の中心の方向に向いて倒れた状態において、これらの各自由端１６ｂ，１７ｂ側が、前記一対の液拡散シート１３，１４のそれぞれの短手方向の第２端１３ｂ，１４ｂ側、即ち、各液拡散シート１３，１４の短手方向における吸収体の中央の方向側に位置する端部と一致する位置まで延びている。
具体的には、前記第１の防漏壁１６は、自由端１６ｂ側が吸収体４の短手方向の中心の方向に向いて倒れた状態において、その自由端１６ｂが前記第１の液拡散シート１３の短手方向の第２端１３ｂと一致する位置まで、前記吸収体４の短手方向の中心の方向に延びた態様となっている。
一方、前記第２の防漏壁１７は、自由端１７ｂ側が吸収体４の短手方向の中心の方向に向いて倒れた状態において、その自由端１７ｂが前記第２の液拡散シート１４の短手方向の第２端１４ｂと一致する位置まで、前記吸収体４の短手方向の中心の方向に延びた態様となっている。
【００４８】
これにより、前記一対の防漏壁１６，１７は、液透過性シート１１の着用者の肌側に倒れた状態で固定されている長手方向の両端側の部分は、常に直近の液拡散シート１３，１４と重複するように、前記液透過性シート１１の着用者の肌側の面を覆うことになる。
したがって、吸収体４の腹側及び背側における短手方向の両端部については、各液拡散シート１３，１４と常に重複した状態となるため、その吸収体４の腹側及び背側における短手方向の両端部に相当する部分の液透過性シート１１を直接肌に当接させない。
また、着用時において、各防漏壁１６，１７の自由端側の一部がある程度起立したとしても、各防漏壁１６，１７は、基本的には吸収体４の短手方向の中心の方向に傾斜した状態で起立している。そのため、吸収体４の腹側及び背側における短手方向の両端部、特に吸収体４の四隅及びその近傍の部分に相当する位置の液透過性シートの部分ついては、該液透過性シート１１と着用者の肌との間に各防漏壁１６，１７が常時介在することとなる。
【００４９】
この結果、一対の防漏壁１６，１７は、前記一対の液拡散シート１３，１４によって拡散されて湿潤し易い吸収体４の短手方向の両端部と、液透過性シート１１を介して常に重複した状態となるため、該吸収体４の短手方向の両端部に相当する部分の液透過性シート１１を直接的肌に当接させず、吸収体４からの湿気が着用者の肌に与える影響を可及的に抑えることが可能となる。
【００５０】
ところで、この実施の形態において、前記吸収体４は、短手方向の両端部側の吸水性ポリマーの含有割合が、短手方向の中心側よりも高くなっている。さらに、前記吸収体４は、液不透過性シート１２側の吸水性ポリマーの含有割合が液透過性シート側よりも高くなっている。
したがって、前記吸収体４は、液不透過性シート１２側における短手方向の両端部側の部分に吸水性ポリマーが特に多く含まれていて、この部分の排泄液の吸収、保持能力が、他の部分に比べて特に高くなっている。
【００５１】
このように、吸収体４を、液不透過性シート１２側における短手方向の両端部側の部分に吸水性ポリマーが多く含まれた構成としたのは次の理由からである。
即ち、吸収体において、前記一対の液拡散シートと当接する部分である、吸収体の液不透過性シート側における短手方向の両端、さらには各液拡散シートの近傍での排泄液の吸収、保持能力を特に高くすることにより、これらの一対の液拡散シートによって拡散された排泄液を一層効率良く吸収、保持させるためである。
これにより、液拡散シートにより拡散された排泄液をより確実且つ安定的に吸収、保持させることができ、特に、従来有効に使用されていなかった吸収体の長手方向の両端側、その中でも吸収体の四隅部分やその近傍を、排泄液の吸収、保持に有効に活用することが可能となる。
また、吸収体の液不透過性シート側に吸水性ポリマーが多く配設されていることにより、吸収体の腹側や背側においては、吸収体全体としての吸収・保持能力が限界近くに達するまでは、液不透過性シート側において排泄液を吸収、保持する。これにより、吸収体の腹側や背側では、液透過性シート側にまで排泄液が達しにくいため、被覆部の腹側胴回り部や背側胴回り部によって吸収体の腹側や背側が着用者の肌側に圧接される場合であっても、排泄液が吸収体から液透過性シートに移動してリウェット（液戻り）する抑えることができるという利点もある。
【００５２】
また、吸収体４と前記一対の液拡散シート１３，１４とは、上述したホットメルト型接着剤等による接合とは別に、エンボス加工による接合が行われていて、相互に密着した状態で接合がなされている。
具体的に、前記吸収体４と一対の液拡散シート１３，１４とは、対向する面を相互に当接させた状態において、エンボス加工により、液不透過性シート１２側から一対の液拡散シート１３，１４と吸収体４の厚さ方向に圧縮させて、これらの一対の液拡散シート１３，１４全体と、吸収体４における該一対の液透過性シート１３，１４と当接している部分とを圧着させている。
【００５３】
このように、前記一対の液拡散シート１３，１４と、前記吸収体４における該一対の液拡散シート１３，１４との当接部分に、液不透過性シート１２側からエンボス加工を施したのは、これらの一対の液拡散シート１３，１４と吸収体４との相互の分離を防いで、両者の間での排泄液の移動を安定的に行えるようにするためである。
即ち、例えばおむつ等の吸収性物品を着用した場合、着用者が歩いたり、あるいは立ったり座ったりといった動作を行うと、吸収体や液拡散シートはよれたり折れ曲がったりして変形することがあるが、このときに何ら対策を講じていないと、吸収体と液拡散シートとが相互に分離してしまう可能性が高い。また、吸収体と液拡散シートとを、ホットメルト型の接着剤による接着のみで相互に接合した場合、それぞれが変形した場合にはその変形時に生じる荷重によって接着が取れてしまい、吸収体と液拡散シートとが相互に分離してしまう可能性もある。
【００５４】
そうすると、吸収体から一対の液拡散シートに排泄液を移動させる場合や、各液拡散シートが一旦吸収してその長手方向に拡散させた排泄液を吸収体の腹側や背側に移動させる場合に、吸収体と各液拡散シートとの間の排泄液の移動がうまく行われない可能性がある。
その上、前記一対の液拡散シートの排泄液を吸収体の腹側や背側に吸収させきれなかった場合には、各液拡散シートは依然として排出液を保持した状態となっているため、実質的に液拡散機能が失われて排泄液を再度吸収、拡散することができない。
このように各液拡散シートの液拡散機能が失われた状態においては、吸収体全体を排泄液の吸収・保持に使用することができないため、吸収性物品として所望の吸収・保持量が得られず、排泄液の量が多い場合や２回目以降の排泄液の排出時等には、排泄液を吸収しきれずに液漏れを生じさせる可能性がある。
【００５５】
そのため、この実施の形態においては、一対の液拡散シートと吸収体との分離を確実に防止して、吸収体の股部分に排出された排泄液の一対の液拡散シートへの移動や、該一対液拡散シートがその長手方向に拡散させた排泄液の吸収体の腹側や背側への移動を確実且つ安定的に行うことができるようにしている。
さらに、エンボス加工によって一対の液拡散シートと吸収体との当接部分に凹凸が形成されることにより、各液拡散シート５と吸収体４との接触面積が実質的に増すため、各液拡散シート５と吸収体４との間での排泄液の移動をより効果的且つ安定的に行うことができるという利点もある。
【００５６】
なお、前記エンボス加工に用いられるエンボスパターンについては、特に限定はないが、例えば、この実施の形態においては、図１に示すように、平面視格子状（エンボス加工時、略矩形の枠状の部分が凹部、該凹部に囲まれた部分が凸部となる。）のパターンを用いている。その他、点状のパターン等も用いることができるが、吸収体の長さ方向に延びる複数の折れ線が並べられたパターン等、吸収体の長さ方向に延びるパターンであることが好ましい。
また、前記エンボス加工を行うに際しては、事前に、一対の液拡散シート１３，１４を前記吸収体４の液不透過性シート側の所定に位置にホットメルト型の接着剤による接着等によって予め接合させて、これらの吸収体４及び一対の液拡散シート１３，１４を共に前記被覆シート１５で被覆しておく。その上で、一対の液拡散シート１３，１４の位置に対応する位置に各液拡散シートの短手方向の長さと略同幅のエンボスパターンが形成されたエンボスロールと、周面がフラットなフラットロールとの間に、一対の液拡散シート１３，１４を当接させた吸収体４を通す。
これにより、前記エンボスパターンに沿ったエンボスが、前記一対の液拡散シート１３，１４、及び前記吸収体４におけるこれらの一対の液拡散シート１３，１４との当接部分に形成される。
【００５７】
また、図２に示すように、前記被覆部２には、前記腹側胴回り部５又は背側胴回り部６のうちのいずれか一方側に設けられた、前記吸収体４の短手方向の外側に向けて延出させたファスニングテープ２５，２５、と、他方側に設けられた、該ファスニングテープ２５，２５が着脱自在に止着されるターゲットテープ２６とを有している。
この実施の形態においては、前記背側胴回り部６における吸収体４の短手方向に沿う両端側に、前記ファスニングテープ２５，２５がそれぞれ設けられている一方で、前記腹側胴回り部５の外面側にターゲットテープ２６が設けられている。
前記ファスニングテープ２５，２５、前記腹側胴回り部５のターゲットテープ２６と当接する側に、複数の小さなフック（図示せず）が設けられていて、これらのフックが前記ターゲットテープ２６の繊維に引っかかることにより、これらのファスニングテープ２５．２５とターゲットテープ２６とが着脱自在に連結されるようになっている。
なお、前記ターゲットテープ２６は、被覆部２の通気性を損なわないように、不織布等の通気性に優れた素材により形成されている。このターゲットテープ２６を形成する不織布を構成する繊維としては、例えば天然繊維（例えば羊毛、コットン等）、再生繊維（例えばレーヨン、アセテート等）、合成樹脂繊維（例えばポリエチレン、ポリプロピレン、ポリブチレン、エチレン−酢酸ビニル共重合体、エチレン−アクリル酸エチル共重合体、エチレン−アクリル酸共重合体、アイオノマー樹脂等のポリオレフィン；ポリエチレンテレフタラート、ポリブチレンテレフタラート、ポリブチレンテレフタラート、ポリ乳酸等のポリエステル；ナイロン等のポリアミド）等が挙げられる。不織布には、芯・鞘型繊維、サイド・バイ・サイド型繊維、島／海型繊維等の複合繊維；中空タイプの繊維；扁平、Ｙ型、Ｃ型等の異型繊維；潜在捲縮又は顕在捲縮の立体捲縮繊維；水流、熱、エンボス加工等の物理的負荷により分割する分割繊維等が混合されていてもよい。
【００５８】
ここで、前記ターゲットテープ２６は、該ターゲットテープ２６が設けられた腹側胴回り部５側に位置する前記一対の液拡散シート１３，１４の長手方向の一端部と一部あるいは全部が重なる位置に配設されている。
このように、ターゲットテープ２６を、一対の液拡散シート１３，１４の長手方向に一端部と重なる位置に設けたのは、ターゲットテープ２６の剛性を可及的に強化して、該ターゲットテープ２６からファスニングテープ２５，２５を引き剥がしやすくするためである。即ち、前記一対の液拡散シートは、液透過性シートや液不透過性シートに比べてやや硬く、剛性が高いため、これらの液拡散シートによって、ファスニングテープを引き剥がす際に大きな力がかかる可能性があるターゲットテープを補剛させるようにしている。
【００５９】
上記構成を有する吸収性物品としてのおむつ１は、通常、着用者から排泄液がおむつ１の股部分における短手方向の中心部分及びその近傍に排出される。このとき、前記排泄液は、液透過性シート１１を通して吸収体４の股部分、さらに具体的には吸収体４の股部分における短手方向の中心部分及びその近傍において吸収される一方で、液透過性シート１１や、該液透過性シート１１と吸収体４の界面部分において拡散する。その後、その排泄液は吸収体４が吸収、保持することになるが、その際に保持しきれなかった排泄液は液不透過性シート１２側に達し、一対の液拡散シート１３，１４に吸収される。
そして、これらの各液拡散シート１３，１４に吸収された排泄液は、毛管現象によりそれぞれの液拡散シート１３，１４を移動し始める。このとき、各液拡散シート１３，１４に吸収された排泄液は、これらの液拡散シート１３，１４の長手方向についても重力に関係なく移動、拡散するため、各液拡散シート１３，１４の長手方向に拡散された排泄液は、最終的には吸収体４の腹側や背側において該吸収体４に吸収、保持されることとなる。
【００６０】
このとき、前記一対の液拡散シート１３，１４は、各液拡散シート１３，４が相互に離間された状態において、吸収体４の短手方向の両端側にそれぞれ配置されているため、吸収体４の四隅やその近傍にまで排泄液を拡散させることができる。
これにより、吸収体４の腹側や背側については、長手方向の中央部分よりも短手方向の両端側の方が早く排泄液を拡散させることができるため、吸収体４の吸収力に余裕がある状態においては、湿った吸収体４が着用者の肌に沿う範囲を極力抑えることができる。
その上、一対の防漏壁１６，１７が、前記吸収体４の長手方向に沿う方向の長さが該吸収体４の長手方向長さ以上に形成され、各防漏壁１６，１７は直近の液拡散シート１３，１４と重複するように前記吸収体４の短手方向の中心の方向に延設されているため、これらの防漏壁１６，１７が、各液拡散シート１３，１４によって拡散された排泄液を吸収、保持した、前記吸収体４の腹側及び背側における短手方向の両端部の液透過性シート１２側を覆う。
【００６１】
したがって、前記一対の防漏壁１６，１７が着用者の肌に当接するため、被覆部２によって着用者の肌に圧接される、吸収体４の腹側及び背側における短手方向の両端部、特に吸収体の四隅及びその近傍の部分から発せられる湿気が、直接的に肌に接触することが抑止される。
この結果、吸収体と着用者の肌との間に液透過性シートのみが存在する場合に比べて、吸収体の湿潤に起因する着用者の肌の湿りを可及的に抑えることが可能となるため、着用者が湿りによる不快感を覚えにくく、また肌かぶれを抑止することが可能となる。
【００６２】
また、吸収体４の四隅やその近傍にまで排泄液を拡散させることができることから、おむつの排泄液の吸収・保持能力の限界を、目視や手触りで比較的に容易に確認することができ、おむつの交換時期の目安をつけやすいという利点もある。
【００６３】
前記実施の形態においては、前記一対の液拡散シート１３，１４を、吸収体４と液不透過性シート１２との間に設けて、これらの一対の液拡散シート１３，１４によって、吸収体４の液不透過性シート１２側のみを被覆した構成としている。
しかしながら、前記一対の液拡散シートの構成については、図４示す一対の液拡散シート３１，３２のように、前記吸収体４と液不透過性シート１２との間に位置して、前記吸収体４における液不透過性シート１２側の面を被覆する基部３３，３４と、該基部３３，３４に連結された、各液拡散シート３１，３２に直近の前記吸収体４の短手方向の端面（即ち、短手方向の第１端４ａ側の端面、及び第２端４ｂ側の端面）を各々被覆する端面被覆部３５，３６とをそれぞれ備えた構成とすることができる。
前記一対の液拡散シート３１，３２における基部３３，３４及び端面被覆部３５，３６は、それぞれ前記吸収体４の長手方向に長く延びる帯状のもので、前記各液拡散シート３１，３２の短手方向の断面が略Ｌ字形状となるように一体的に形成されている。
この構成により、各液拡散シート３１，３２が、吸収体４の液不透過性シート１２側における吸収体４の短手方向の両側の面と、吸収体の短手方向の両端面（即ち、吸収体の長手の端面）とを被覆するため、排泄液の吸収、拡散をより効率よく行うと共に、吸収体４の短手方向の両側全体を、液拡散シート３１，３２が拡散した排泄液の吸収、保持に効果的に利用することが可能となる。
【００６４】
さらに、前記一対の液拡散シートの構成については、図５に示す液拡散シート４１，４２のように、上述した基部及び端面被覆部を備えた構成に加えて、端面被覆部４５，４６における基部４３，４４の連結側とは反対側の端部に連結された、前記吸収体４の液透過性シート１１側の面の一部を被覆する液透過性シート側被覆部４７，４８を備えたものとすることができる。
前記一対の液拡散シート４１，４２における基部４３，４４及び端面被覆部４５，４６、液透過性シート側被覆部４７，４８は、それぞれ前記吸収体４の長手方向に長く延びる帯状のもので、前記各液拡散シート４１，４２の短手方向の断面が略コ字形状となるように一体的に形成されている。なお、前記基部４３，４４及び端面被覆部４５，４６については、上述した一対の液拡散シート３１，３２の基部３３，３４及び端面被覆部３５，３６とほぼ同じ構成であるため、説明は省略する。
ここで、前記一対の液拡散シート４１，４２における前記各液透過性シート側被覆部４７，４８については、短手方向の長さ、即ち、吸収体４の短手方向の中心の方向への延出長さが、前記基部４３，４４の短手方向の長さよりも短くなっている。これは、吸収体４の液不透過性シート側における基部４３，４４による被覆面積を、吸収体４の液透過性シート側における各液透過性シート側被覆部４７，４８による被覆面積よりも大きくすることで、吸収体４の液不透過性シート側での排泄液の吸収・拡散を優先させて、排泄液を着用者の肌からできるだけ遠ざけ、水分が着用者の肌に接触する機会を可及的に抑えるためである。
【００６５】
前記構成を有する吸収性物品の場合、前記一対の液拡散シート４１，４２が、吸収体４の液不透過性シート１２側における、吸収体４の短手方向の両側の面と、吸収体４の短手方向の端面（即ち、吸収体の長手の端面）、さらに液透過性シート１１側における吸収体の短手方向の両側の面とを被覆する。このため、排泄液の吸収、拡散をさらに効率よく行うと共に、吸収体の短手方向の両側全体を、液拡散シート４１，４２が拡散した排泄液の吸収、保持にさらに効果的に利用することが可能となる。
これに加えて、液透過性シート４１，４２に付着した、汗等の着用者からの水分も前記液透過性シート側被覆部４７，４８が素早く吸収して、拡散させて吸収体に吸収、保持させることができるため、着用者に接触する湿気を一層効果的に吸収して、着用者が湿りによる不快感をより安定的に抑え、また肌かぶれをさらに効果的に抑止することができるというメリットがある。
【００６６】
なお、前記図４及び図５に示した構成については、一対の液拡散シートの各構成、即ち、図４に示す構成の場合は、基部３３，３４及び端面被覆部３５，３６を備えている点、図５に示す構成の場合は、基部４３，４４及び端面被覆部４５，４６、液透過性シート側被覆部４７，４８を備えている点以外は、実質的に前記実施の形態と同じであり、同様の作用効果を奏するため、同様の符号を付して詳細な説明は省略する。
【００６７】
前記実施の形態においては、前記一対の液拡散シート１３，１４は、第１の液拡散シート１３の短手方向の第１端側１３ａと、吸収体４の短手方向の第１端側４ａとが一致し、且つ第１の液拡散シート１４の短手方向の第１端側１４ａと、吸収体４の短手方向の第２端側４ｂとが一致した状態で、吸収体４の長手方向に沿うように配設されている。
しかしながら、前記一対の液拡散シートの吸収体に対する位置は、各液拡散シートが相互に離間された状態において、一方の液拡散シートが吸収体の短手方向の一端側に沿って、他方の液拡散シートが吸収体の短手方向の他端側に沿って配設されていれば、どのような配置であってもよい。
例えば、各液拡散シートが、吸収体の短手方向の中心の方向に寄った状態で配設されていてもよく、逆に、各液拡散シートの短手方向の一端側が吸収体の短手方向の端部からはみ出した状態で配設されていてもよい。この場合、前記一対の防漏壁は、直近に位置する前記液拡散シートと前記吸収体とが該吸収体の前記液不透過性シート側において重なる領域と重複するように、前記吸収体の短手方向の中心の方向に延設されていることが好ましい。
【００６８】
前記実施の形態においては、一対の防漏壁１６，１７を、各自由端１６ｂ，１７ｂ側が吸収体４の短手方向の中心の方向に向いて倒れた状態となった状態において、これらの各自由端１６ｂ，１７ｂが、前記一対の液拡散シート１３，１４の短手方向の第２端１３ｂ、１４ｂ、即ち、各液拡散シート１３，１４の短手方向における、吸収体４の短手方向の中央の方向側に位置する端部と一致する位置まで延びた構成としている。
しかしながら、一対の防漏壁は、直近の液拡散シートと重複するように前記吸収体の短手方向の中心の方向に延設されていれば、必ずしも自由端側の位置が直近の液拡散シートの短手方向の第２端側の位置に一致している必要はない。
例えば、図６（ａ）に示すように、第１及び第２の防漏壁５１，５２の自由端５１ｂ，５２ｂ側が直近の液拡散シート１３，１４の短手方向の第２端１３ｂ，１４ｂよりも吸収体の短手方向の中心の方向にそれぞれ延出した態様であってもよい。図６（ａ）中の符号５１ａ，５２ａは、第１及び第２の防漏壁５１，５２の各固定端である。
あるいは、図６（ｂ）に示すように、第１及び第２の防漏壁５６，５７の自由端５６ｂ，５７ｂ側が、直近の液拡散シート１３，１４の短手方向の第２端１３ｂ，１４ｂより吸収体の短手方向の中心の方向に延出していない、即ち、第１及び第２の防漏壁５６，５７の自由端５６ｂ，５７ｂ側よりも、直近の液拡散シート１３，１４の短手方向の第２端１３ｂ，１４ｂが吸収体の短手方向の中心の方向に延出した態様であってもよい。図６（ａ）中の符号５６ａ，５７ａは、第１及び第２の防漏壁５６，５７の各固定端である。
なお、図６（ａ）及び図６（ｂ）に示した吸収性物品については、前記第１及び第２の防漏壁５１，５２・５６，５７の延出長さ以外の構成は、基本的に前記実施の形態と同じの構成であるため、同様の符号を付して詳細な説明は省略する。
【００６９】
なお、前記実施の形態では、前記一対の防漏壁１６，１７は、直近に位置する前記液拡散シート１３，１４と前記吸収体４とが該吸収体４の液不透過性シート１２側において重なる領域と重複するように、前記吸収体４の短手方向の中心の方向に延設されているが、これらの一対の防漏壁は、直近の液拡散シートと重複するように前記吸収体の短手方向の中心の方向に延設されていればよい。
ただし、前記各防漏壁については、直近に位置する前記液拡散シートと前記吸収体とが該吸収体の前記液不透過性シート側において重なる領域と重複させる方が、吸収体からの湿気による着用者の肌の蒸れをより安定的且つ確実に抑止するため、好ましいといえる。
【００７０】
また、前記実施の形態において、一対の防漏壁１６，１７は、固定端１６ａ，１７ａ側から自由端１６ｂ，１７ｂ側にほとんど折れ曲がることなく延びる板体状に形成されたものとなっている。
しかしながら、これらの一対の防漏壁は、例えば防漏壁の短手方向の断面が略Ｚ字状に折り返されることにより形成されたものや、短手方向の断面が略Ｔ字状に折り曲げられることにより形成されたもの等、任意の構成のものを用いることができる。
このとき、各防漏壁は、少なくとも一部が、直近の液拡散シートと重複するように前記吸収体の短手方向の中心の方向に延設されていればよい。さらには、各防漏壁の少なくとも一部が、直近に位置する前記液拡散シートと前記吸収体とが該吸収体の前記液不透過性シート側において重なる領域と重複するように、前記吸収体の短手方向の中心の方向に延設されていることが好ましい。
さらに、前記実施の形態では、一対の防漏壁１６，１７のみを設けた構成となっているが、防漏壁は少なくとも一対あれば、３つ以上であってもよい。この場合には、少なくとも一対の防漏壁が直近の液拡散シートと重複するように前記吸収体の短手方向の中心の方向に延設されていればよい。
【００７１】
また、前記実施の形態においては、前記一対の液拡散シート１３，１４は、前記吸収体４の長手方向長さと同じ長さに形成されているが、これらの液拡散シートの長手方向長さは、必ずしも吸収体の長手方向長さと同じでなくてもよく、短くても長くてもよい。
さらに、前記実施の形態においては、前記吸収体４と一対の液拡散シート１３，１４とが共に被覆シート１４によって被覆されているが、前記一対の液拡散シートは、被覆シートで被覆することなく該被覆シートの外方側に配設して、該被覆シートを介して吸収体の液不透過性シート側に配設するようにしてもよい。
【００７２】
前記実施の形態においては、前記一対の液拡散シート１３，１４と前記吸収体４とがエンボス加工により相互に接合されているが、これらの一対の液拡散シートと吸収体とは、必ずしもエンボス加工を施して接合する必要はない。
【００７３】
前記実施の形態においては、前記吸収体４は、パルプと吸水性ポリマーとを含んでいて、短手方向の両端部側の吸水性ポリマーの含有割合が、短手方向の中心側よりも高くし、且つ、液不透過性シート側の吸水性ポリマーの含有割合が液透過性シート側よりも高くした構成となっている。
しかしながら、吸収体の各位置における吸水性ポリマーの含有割合については、任意に設定することができ、あるいは吸収体全体として均等に含有させるようにしてもよい。
また、吸収体の短手方向の両端部側の吸水性ポリマーの含有割合を、短手方向の中心側よりも高くした構成のみを備えたものであってもよく、あるいは、液不透過性シート側の吸水性ポリマーの含有割合が液透過性シート側よりも高くした構成のみを備えたものであってもよい。
【００７４】
前記実施の形態においては、前記被覆部２は、前記背側胴回り部６にファスニングテープ２５，２５を設け、腹側胴回り部５にターゲットテープ２６を設けた構成となっているが、腹側胴回り部にファスニングテープを設けて、背側胴回り部にターゲットテープを設けてもよい。
また、前記実施の形態では、前記ターゲットテープ５は、腹側胴回り部５側に位置する前記一対の拡散シート１３，１４の長手方向の一端部と重なる位置に配設されているが、ターゲットテープの位置については、該ターゲットテープの剛性が確保されていれば、ファスニングテープの位置との関係で、任意の位置に設けることができる。
【００７５】
また、前記実施の形態では、吸収性物品として、ファスニングテープをターゲットに止着することにより着用する展開型のおむつの場合について説明したが、本発明の吸収性物品は、パンツ型のおむつであってもよく、またおむつ以外に、生理用ナプキンや失禁パッド等の各種吸収性物品であってもよい。
【符号の説明】
【００７６】
１    吸収性物品（使い捨ておむつ）
２    被覆部
３    吸収構造体
４    吸収体
５    腹側胴回り部
６    背側胴回り部
７    股部
１１    液透過性シート
１２    液不透過性シート
１３，１４，３１，３２，４１，４２    液拡散シート
１６，１７，５１，５２，５６，５７    防漏壁
２５    ファスニングテープ
２６    ターゲットテープ
３３，３４，４３，４４    基部
３５，３６，４５，４６    端面被覆部
４７，４８    液透過性シート側被覆部
【図１】
2015066375.tif 000003
【図２】
2015066375.tif 000004
【図３】
2015066375.tif 000005
【図４】
2015066375.tif 000006
【図５】
2015066375.tif 000007
【図６】
2015066375.tif 000008
【手続補正書】
【提出日】平成27年2月4日(2015.2.4)
【手続補正１】
【補正対象書類名】明細書
【補正対象項目名】０００８
【補正方法】変更
【補正の内容】
【０００８】
上記課題を解決するため、本発明の吸収性物品は、液透過性シートと、該液透過性シートの一面側に配設された液不透過性シートと、これらの液透過性シートと液不透過性シートとの間に配設された一方向に長い吸収体と、前記液透過性シートにおける着用者の肌側の面に、該吸収体の短手方向の両側に沿うように配設された一対の防漏壁と、少なくとも一部が前記吸収体と液不透過性シートとの間に配設された、該吸収体の長手方向に沿う方向に長く延びる一対の液拡散シートとを備えた吸収性物品であって、前記一対の液拡散シートは、各液拡散シートが相互に離間された状態において、一方の液拡散シートが吸収体の短手方向の一端側に沿って、他方の液拡散シートが吸収体の短手方向の他端側に沿ってそれぞれ配置され、前記一対の防漏壁は、前記吸収体の長手方向に沿う方向の長さが該吸収体の長手方向長さ以上に形成されていると共に、各防漏壁は、直近に位置する前記液拡散シートと前記吸収体とが該吸収体の前記液不透過性シート側において重なる領域と重複するように、前記吸収体の短手方向の中心の方向に延設されているものである。
【手続補正２】
【補正対象書類名】明細書
【補正対象項目名】０００９
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
液透過性シートと、該液透過性シートの一面側に配設された液不透過性シートと、これらの液透過性シートと液不透過性シートとの間に配設された一方向に長い吸収体と、前記液透過性シートにおける着用者の肌側の面に、該吸収体の短手方向の両側に沿うように配設された一対の防漏壁と、少なくとも一部が前記吸収体と液不透過性シートとの間に配設された、該吸収体の長手方向に沿う方向に長く延びる一対の液拡散シートとを備えた吸収性物品であって、
前記一対の液拡散シートは、各液拡散シートが相互に離間された状態において、一方の液拡散シートが吸収体の短手方向の一端側に沿って、他方の液拡散シートが吸収体の短手方向の他端側に沿ってそれぞれ配置され、
前記一対の防漏壁は、前記吸収体の長手方向に沿う方向の長さが該吸収体の長手方向長さ以上に形成されていると共に、各防漏壁は、直近に位置する前記液拡散シートと前記吸収体とが該吸収体の前記液不透過性シート側において重なる領域と重複するように、前記吸収体の短手方向の中心の方向に延設されている吸収性物品。
【請求項２】
前記一対の液拡散シートは、前記吸収体の長手方向長さと同じ長さに形成されている、請求項１に記載の吸収性物品。
【請求項３】
前記一対の液拡散シートと前記吸収体とがエンボス加工により相互に接合されている、請求項１又は請求項２に記載の吸収性物品。
【請求項４】
前記一対の液拡散シートは、セルロース繊維を含むスパンレース不織布により形成されている、請求項１〜３のいずれか１項に記載の吸収性物品。
【請求項５】
前記一対の液拡散シートは、前記吸収体と液不透過性シートとの間に位置して、前記吸収体における液不透過性シート側の面を被覆する基部と、該基部に連結された、各液拡散シートに直近の前記吸収体の短手方向の端面を各々被覆する端面被覆部とをそれぞれ備えている、請求項１〜４のいずれか１項に記載の吸収性物品。
【請求項６】
前記一対の液拡散シートは、前記端面被覆部に連結された、前記吸収体における液透過性シート側の面を被覆する液透過性シート側被覆部を備えている請求項５に記載の吸収性物品。
【請求項７】
前記吸収体は、パルプと吸水性ポリマーとを含んでいて、短手方向の両端部側の吸水性ポリマーの含有割合が、短手方向の中心側よりも高い、請求項１〜６のいずれか１項に記載の吸収性物品。
【請求項８】
前記吸収体は、パルプと吸水性ポリマーとを含んでいて、液不透過性シート側の吸水性ポリマーの含有割合が液透過性シート側よりも高い、請求項１〜７のいずれか１項に記載の吸収性物品。
【請求項９】
前記吸収性物品は、着用者の腹側の胴回りを覆う腹側胴回り部と、背側の胴回りを覆う背側胴回り部と、これら腹側胴回り部と背側胴回り部との間に設けられた股部とを有する被覆部を備えた使い捨ておむつであって、前記吸収体は、該被覆部における着用者の肌側に配設されていて、腹側胴回り部から股部を通って背側胴回り部の方向に長く形成されている、請求項１〜８のいずれか１項に記載の吸収性物品。
【請求項１０】
前記被覆部は、前記腹側胴回り部又は背側胴回り部のうちのいずれか一方側に設けられた、前記吸収体の短手方向の外側に向けて延出させたファスニングテープと、他方側に設けられた、該ファスニングテープが着脱自在に止着されるターゲットテープとを有していて、前記ターゲットテープは、該ターゲットテープが設けられた腹側胴回り部側又は背側胴回り部側に位置する前記一対の拡散シートの長手方向の一端部と重なる位置に配設されている、請求項９に記載の吸収性物品。